Podtech/llm-jp-corpus-v4-ja_patent huggingface dataset:
(57)【要約】      （修正有）【課題】毛糸と同じように手編み・機械編みの材料となりうる再帰反射機能を有する編み紐を提供する。【解決手段】編み紐１０は、筒状編物１２と芯糸１４とからなる。筒状編物１２は、１本のナイロン糸を使用して、１６本針にてメリヤス編み機にて筒状に編まれ、ナイロン染めを経て直径約５ｍｍに縮んでいる。芯糸１４は再帰反射シートをスリット状に裁断することにより得られた幅１ｍｍのスリットヤーンである。芯糸１４は筒内で捻れ及び曲げが可能な程度の空隙を有して筒状編物１２に貫入されているので、編み紐１０には充分なボリュームが与えられ、また芯糸１４に制限されることなく筒状編物１２が伸縮可能である。従って編み紐１０は、再帰反射機能を有しつつ、毛糸と同様に手編み・機械編みの材料となりうる。【選択図】図１
0003144279.tif 000002
【実用新案登録請求の範囲】
【請求項１】
筒状であって、筒内で捻れ及び曲げが可能な程度の空隙を有して、筒内に帯状の再帰反射材が貫入されてなることを特徴とする編み紐。
【請求項２】
ナイロン糸でメリヤス編みにより編まれた後に、ナイロン染めされてなる請求項１に記載の編み紐。
【請求項３】
再帰反射材はポリエステルタフター生地をベース材とした請求項１又は２に記載の編み紐。
【考案の詳細な説明】
【技術分野】
【０００１】
本考案は、編み物の材料となりうる再帰反射機能を有する編み紐に関する。
【背景技術】
【０００２】
一本の糸をメリヤス編み等により筒状に編まれてなる編み紐は、毛糸と同じように手編み・機械編みの材料となる。一方、再帰反射材は、独特の視覚的効果や夜間の安全確保の効果を得るために、被服に使用されている。具体的には、原料繊維として糸に混撚されたり、モノフィラメント糸として他の糸とともに編物や織物を形成したり、シート状のまま縫いつけられたりする使用方法が提案されている（特開平７−１５０４９０、特開２００３−２０５３５等）。
【０００３】
特開平７−１５０４９０には編み紐も提案されており、「図７に示す実施例は、繊維製品Aを編紐８として形成したものであり、天然繊維又は化学繊維の糸３の中に、扁平糸１を混在して使用し編紐８を構成している」（第６頁第９欄５０行以下）との記載がある。しかしながら図７に示された編紐８は、扁平糸１に糸を隙間なく巻き付けただけのものであって、風合いやボリュームに欠け、伸縮性もなく、形状も扁平な帯状なので、編み物の材料には全く適さなかった。
【０００４】
【特許文献１】特開平７−１５０４９０公報
【特許文献２】特開２００３−２０５３５公報
【考案の開示】
【考案が解決しようとする課題】
【０００５】
よって本考案の目的は、毛糸と同じように手編み・機械編みの材料となりうる再帰反射性を有する編み紐を提供することにある。
【課題を解決するための手段】
【０００６】
上記目的を達成するために本考案は、筒状であって、筒内で捻れ及び曲げが可能な程度の空隙を有して、筒内に帯状の再帰反射材が貫入されてなるように編み紐を構成した。
【０００７】
本考案に係る編み紐においては、筒状の編み紐の筒内に、筒内で捻れ及び曲げが可能な程度の空隙を有して、帯状の再帰反射材が貫入されているので、編み紐には充分なボリュームが与えられ、また再帰反射材とは別に外側の編み紐部分が伸び縮み可能である。
【０００８】
好ましくは、ナイロン糸でメリヤス編みにより編まれた後に、ナイロン染めされると、編み紐が長手方向について収縮し、編み紐の筒内の再帰反射材が収縮に伴って捻れたり曲がったりするので、編み紐が伸ばされる際に再帰反射材が伸びを阻害することがない。また好ましくは再帰反射材は柔軟性の高いポリエステルタフター生地をベース材としており、これにより編み紐としても柔軟性に優れるので、より編み物に適した編み紐が得られる。
【考案の効果】
【０００９】
以上のように、本考案に係る編み紐によると、再帰反射機能を有しつつ、毛糸と同様に手編み・機械編みの材料となりうる。
【考案を実施するための最良の形態】
【００１０】
以下、図面を参照しつつ本考案に係る編み紐の実施の形態について詳細に説明する。なお、以下の説明は考案をより深く理解するためのものであって、実用新案登録請求の範囲を限定するためのものではない。
【００１１】
図１は、本考案に係る編み紐の実施の形態を示す平面図である。同図において、編み紐１０は、筒状編物１２と芯糸１４とからなる。
【００１２】
筒状編物１２は、１本のナイロン糸を使用して、１６本針にてメリヤス編み機にて筒状に編まれている。ナイロン糸は３０ｄ／２の原糸である。筒状編物１２は、編まれた後は直径約７ｍｍだが、ナイロン染めを経た図示の状態では直径約５ｍｍに縮んでいる。この縮みが編み紐１０に適度な弾力とボリューム感を与える。
【００１３】
芯糸１４は再帰反射材であって、再帰反射シートをスリット状に裁断することにより得られたモノフィラメントのスリットヤーンである。幅は１ｍｍであり、ベース素材には柔軟性の高いポリエステルタフター生地が使用されているので、より編み物に適した編み紐が得られる。芯糸１４の一方の面は再帰反射面であり、表面に微小なガラスビーズ球が埋め込まれ、その下層にパール素材が分散されている。
【００１４】
この編み紐１０は、芯糸１４を中心に配置しつつ、その周囲にナイロン糸を筒状に編むことにより形成される。本実施の形態においては、その後ナイロン染め加工を施すことにより、ナイロン糸製の筒状編物１２が長手方向についても収縮するので、筒状編物１２の筒内に貫入されている芯糸１４が適度に折れ曲がったり捻られたりした状態となる。
【００１５】
次に本実施の形態の作用について説明する。
【００１６】
編み紐１０の筒状編物１２の直径は約５ｍｍであり、これに対して芯糸１４の幅は１ｍｍであるから、芯糸１４は筒内で捻れ及び曲げが可能な程度の空隙を有して筒状編物１２に貫入されている。これにより編み紐１０には充分なボリュームが与えられ、また芯糸１４に制限されることなく筒状編物１２が伸縮可能である。従って編み紐１０は、再帰反射機能を有しつつ、毛糸と同様に手編み・機械編みの材料となりうる。
【００１７】
以上、本考案の実施例について説明したが、本考案は上記実施例に限定されるものではなく、本考案の要旨の範囲内において、適宜変形実施が可能であることは言うまでもない。
【図面の簡単な説明】
【００１８】
【図１】図１は、本考案に係る編み紐の一つの実施の形態を示す平面図である。
【符号の説明】
【００１９】
１０  編み紐
１２  筒状編物
１４  芯糸
【図１】
0003144279.tif 000003
(57)【要約】      （修正有）【課題】囲炉裏と自在鉤が持つ雰囲気をそのままミニチュア化して室内で手軽にストレスを癒すと共に自在鉤の仕組みを直接試すことが出来る置物を提供する。【解決手段】囲炉裏本体の内部にゆらぐＬＥＤランプを設置してその上に置いた薪の隙間から見える光によって囲炉裏の炎をリアルに表現する。また、実物と同様のメカニズムで動く自在鉤を囲炉裏の上部に吊り下げ、これを実際に動かしてその仕組みを試すことが出来るコンパクトな置物とする。【選択図】図１
0003144271.tif 000002
【実用新案登録請求の範囲】
【請求項１】
囲炉裏を模した六面体を台座としその一隅に立てた湾曲した支柱の先端に自在鉤を模した装置を吊るし、ストッパー機能を持つ小猿と呼ばれる装置の角度を変えることにより鍋と火の距離を調節する自在鉤の働きとその仕組みを実際に操作して体験できることを特徴とする囲炉裏の置物。
【請求項２】
囲炉裏本体の内部に電池式のゆらぐ光のLEDランプを、上面に薪を模した木片を設置し、薪の隙間から洩れる光によって臨場感あふれる囲炉裏端の雰囲気を醸成し、見る人に安らぎを与えるとともに先人の生活を学ぶ学習教材としても利用できることを特徴とする請求項１記載の囲炉裏の置物。
【請求項３】
囲炉裏、支柱、自在鉤、薪、LED ランプ等の部品により構成され容易に組立て分解が出来ることを特徴とする請求項１および請求項２記載の囲炉裏の置物。
【考案の詳細な説明】
【技術分野】
【０００１】
本考案は室内用の囲炉裏のミニチュア置物に関するものである。
【背景技術】
【０００２】
ハイテク機器など科学技術の目覚ましい進歩は現代人に様々な場面でストレを与え、これを癒すために木のぬくもりを持った古民家風の民具などをインテリアとして利用する都会人が増加している。  このような理由から古来民家の中心に設置され家族団らんのシンボルと  して親しまれて来た囲炉裏や自在鉤は癒し系のグッズとして近年とみに珍重されるようになった。
【０００３】
しかしながら、元来囲炉裏は床に、自在鉤は天井に別々に固定されながら両者が一体となって機能をはたしており、これを現代の住宅内部に設置するためには、スペース的な制約や機能上解決すべき課題も多く、利用は宿泊施設や外食産業など一部に限られているのが現状である。
【０００４】
一方、囲炉裏と自在鉤をセットにしたミニチュアの置物についても自在鉤を囲炉裏の真上の位置に宙吊りの状態で保持する機構の問題などから両者を一個のコンパクトな置物として完成されたものは知られていない。
【考案の開示】
【考案が解決しようとする課題】
【０００５】
急速に消滅しつつある古民家、その中心的な存在である囲炉裏をミニチュア化しこれを身近に置くことにより、昔ながらの囲炉裏端の雰囲気を家庭にもたらして家族間のコミュニケーションを保持し併せてストレス解消に有効な置物を提供する。
【０００６】
また、囲炉裏にかけた鍋を火力調節のために上下する装置である自在鉤は先人の知恵によって生まれたものであるがこの仕組みを外見から理解することは至難である。そこで実物と同じ仕組みで作動する自在鉤を実際に操作して摩擦の原理によるメカニズムを学習することを可能とする。
【課題を解決するための手段】
【０００７】
約十分の一の縮尺で囲炉裏を設け、これを台座としてその一隅に湾曲した支柱を立てその先端に操作可能な自在鉤を吊るす。火はゆらぐ電池式 ＬＥＤランプを囲炉裏の内部に、薪を模した木片を囲炉裏の上面に設置する。全体をリアルに仕上げ、ランプを点灯して江戸時代の古民家の雰囲気を持った癒しをもたらす置物とする。
【考案の効果】
【０００８】
本考案による置物は小型で玄関、居間、など何処にでも置けるため、本物と同様の機能を持った自在鉤とリアルに燃える囲炉裏の炎が人々に安らぎと癒しを与える。また、大量消費により環境破壊や地球温暖化をもたらす現代人の生活を考え直すきっかけとけとする効果も期待される。
【考案を実施するための最良の形態】
【０００９】
本置物においては本来自在鉤を吊り下げるべき家の天井を省略し、これに替えて湾曲した支柱を用いるため支柱は目立たないものとし、それ以外の部分は本物の囲炉裏と自在鉤を忠実に再現  し古民家の雰囲気を持たせる。また、炎には電池式ＬＥＤのゆらぐランプを用い、囲炉裏の上面に置いた薪の隙間から洩れる光により囲炉裏をリアルに表現した置物とする。
【実施例】
【００１０】
図１は、本考案による卓上用照明付き囲炉裏の置物の実施方法を示した斜視図である。図１に示すように、囲炉裏１は４個の部品からなる木枠とし、上面には中心に円形の穴を設けた板を框の表面から一段下げた位置に設置しその表面には囲炉裏の灰を模した塗装などの表面処理を施して実物に近似させ穴の上部には薪８を適宜な隙間を持たせて配置する。
【００１１】
自在鉤３〜６は、節を抜いた竹筒３、吊紐４、魚型の小猿５、鉤棒６からなり、これを囲炉裏１の一隅に設けた穴に差しこんで立てた金属製支柱２の先端に吊り下げる。鉤棒６の上端は竹筒３の中で、中間部は魚型の小猿５の穴の中で夫々自由に摺動するように取り付け魚型の小猿５の尾部と竹筒３を吊紐４で固定する。
【００１２】
図２は、本考案による囲炉裏の置物の実施方法を示した断面図である。図２に示すように、囲炉裏１の内部にゆらぐ光の電池式ＬＥＤランプ９を発光部１０の光が外部から見えがくれするように設置する。鍋７を薪８の真上の位置に来るように鉤材６の下端に吊り下げる。
【図面の簡単な説明】
【００１３】
【図１】卓上用照明付き囲炉裏の置物の実施方法を示した斜視図である。
【図２】卓上用照明付き囲炉裏の置物の実施方法を示した断面図である。
【符号の説明】
【００１４】
１  囲炉裏
２  支柱
３  竹筒
４  吊紐
５  魚型の小猿
６  鉤棒
７  鍋
８  薪
９  ＬＥＤランプ
１０  発光部
【図１】
0003144271.tif 000003
【図２】
0003144271.tif 000004
(57)【要約】      （修正有）【課題】金属の熱処理工場や食品の製造工場等で温度調整や臭いの除去等の目的で使用している大形の換気扇は一日中架動している。この回転するエネルギーを省エネに利用できる換気扇を提供する。【解決手段】換気扇の回転軸に発電機を設け、軸の回転を発電機の磁石、ブラシ、整流子に伝え発生する電気を蓄電池に蓄電して利用する。一台の換気扇では微々たる発電力であるが、蓄電池を設けることによって照明程度の利用が可能となり省エネに協力することができる。【選択図】図１
0003144284.tif 000002
【実用新案登録請求の範囲】
【請求項１】
モーターＭによって回転する回転軸（１）に換気扇のファンＡを設け、該回転軸（１）上に対向する永久磁石、発電用のブラシ及び整流子を具備した発電機Ｂ及び蓄電池を設けたことを特徴とした発電機付き換気扇。
【考案の詳細な説明】
【技術分野】
【０００１】
本考案は、省エネを目的とした発電機付きの換気扇に関する。
【背景技術】
【０００２】
地球温暖化とか二酸化炭素の削減が叫ばれている現在、少しでも省エネに努力することが望まれている。
【特許文献１】特開２００４−２４７０６号公報
【考案の開示】
【考案が解決しようとする課題】
【０００３】
金属の熱処理工場や食糧品の生産工場等では、工場内の温度調整や蒸気や臭気の除去に大型の換気扇を一日中架動させている。このため、これに要する電力はモーターを使用しているとはいえ極めて大きいものと思われる。
【課題を解決するための手段】
【０００４】
考案者は、この点に鑑み種々検討した結果本考案に到達したものであって、本考案は一日中架動している換気扇のファン（１）の回転、即ちモーターＭによって回転する軸の回転を利用して、この軸上にＮＳ極を対向する磁石やブラシ及び整流子を設けた発電機を設け、さらに蓄電池を取付け、集電して他に利用する省エネに適した換気扇を提供するもの
である。
【考案の効果】
【０００５】
本考案は大形の換気扇の回転を発電に利用するもので、この電力を蓄電池に集電して他に利用することにより、換気扇一基の発電力は微々たるものであっても、数台の換気扇を集めれば、利用の方法は何か考えられ、たとえ電灯の１つや２つでもこの電力で点灯できれば省エネに貢献でき、その効果は計り知れない程顕著である。
【実施例】
【０００６】
本考案の対象とする換気扇は、金属の熱処理工場や食品の製造工場等で、熱気や異臭を除去するために一日中架動させている大形の換気扇であって、図示するように換気扇のファンＡを駆動するためのモーターＭにより回転する回転軸（１）に発電機Ｂを設ける。
【０００７】
この発電機（２）は、回転軸（１）に対向して永久磁石ＮＳを設けて磁場を形成させ、発電ブラシ（４）及び整流子（２）を設けて回路（３）をしたもので、これによって電気が発生し、この電流を蓄電池（５）に導入して集電する。
【産業上の利用可能性】
【０００８】
上述のように本考案は、大形の換気扇とはいえ、極く微量の電力であっても、一ヶ所の工場で数台の換気扇が一日中架動しているとなれば「チリも積もれば山となる」との諺のように何かのエネルギーの足しになり省エネに協力することができる。
【図面の簡単な説明】
【０００９】
【図１】本考案の発電機付き換気扇の実施例図
【図２】発電機部分の実施例図
【符号の説明】
【００１０】
１  回転軸
２  整流子
３  回路
４  ブラシ
５  蓄電池
Ａ  換気扇のファン
Ｂ  発電機
【図１】
0003144284.tif 000003
【図２】
0003144284.tif 000004
(57)【要約】      （修正有）【課題】溝蓋と側溝を固定する溝蓋固定用金具を提供する。【解決手段】側溝１等へ敷設する溝蓋２の溝蓋固定用金具５において、固定金具５の板状の接着面に接着剤を付着させ、側溝１に該固定金具５を嵌着させる。該固定金具５の突出部にはリンク機構等で鎖やワイヤー等の連結部材４が設けられており、連結部材４の他端は溝蓋２の連結金具３に連結、もしくは溶接されている。【選択図】図３
0003144237.tif 000002
【実用新案登録請求の範囲】
【請求項１】
側溝等に敷設される溝蓋と側溝において、接着面を板状とし、接着面に接着剤を付着させて側溝に嵌着する事を特徴とした溝蓋固定用金具。
【請求項２】
接着面に孔を設けた事を特徴とした請求項１記載の溝蓋固定用金具。
【請求項３】
接着面に凹凸部を設けた事を特徴とした請求項１又は２記載の溝蓋固定用金具。
【考案の詳細な説明】
【技術分野】
【０００１】
本考案は、側溝等に敷設される溝蓋の固定用金具に関する。
【背景技術】
【０００２】
溝蓋を跳ね上がり防止や盗難防止の目的で道路等に固定する場合がある。
道路等に設けられた側溝等には溝蓋が敷設され、側溝内側へ突出させたアンカーを側溝に設け、溝蓋とアンカーを鎖やワイヤー等の連結部材で連結させた構造となっている。
【特許文献１】実用新案登録第３１３４６９４号公報
【特許文献２】実公平２−４８５４６号公報
【考案の開示】
【考案が解決しようとする課題】
【０００３】
図６に示すように、従来の溝蓋固定用アンカー（７）は、側溝（１）にあらかじめアンカー（７）を埋め込む必要があった。図示しないが既設で使用されている溝蓋を後施工で側溝に固定する際は、側溝に穴を設けて金属拡張アンカーを挿嵌するか、穴に樹脂等を流し込み、そこへ棒状のアンカーを挿嵌していたが、アンカー埋設作業は側溝内等狭い場所で行うので非常に施工性が悪くコストがかかっている。
【課題を解決するための手段】
【０００４】
請求項1に係る考案は、側溝に敷設される溝蓋の固定用金具において、接着面を板状とし、接着面に接着剤を付着させて側溝に嵌着する事を特徴としている。
【０００５】
請求項２に係る考案は、請求項１に係る考案において、接着面に孔を設ける事を特徴としている。
【０００６】
請求項３に係る考案は、請求項１と請求項２に係る考案において、接着面に凹凸部を設ける事を特徴としている。
【考案の効果】
【０００７】
請求項１に係る考案によると、固定金具の接着面を板状とする事で接着面を広くとる事ができ、接着剤で該固定金具を側溝に嵌着させる事により、側溝に従来のような棒状アンカーを挿嵌するための穴を設ける必要がなく、既存の側溝に何ら手を加える事なく使用でき、溝蓋を側溝に固定する施工時間の大幅な短縮が可能となる。
請求項２に係る考案によると、固定金具の接着面に孔を設ける事によって、孔に接着剤が入り込み、該固定金具と接着剤が嵌合し接着効果が増し、該金具が接着剤から離脱する万が一の事態を防止する事が可能である。
請求項３に係る考案においても請求項２の効果同様、固定金具接着面に凹凸部を設ける事で該固定金具と接着剤が嵌合し接着効果が増す。
【考案を実施するための最良の形態】
【０００８】
以下、本考案の実施形態の溝蓋固定用金具について図面により説明する。
図１に示すように底壁（１１）の両側から側壁（１２，１２）が起立して上方が開口した断面コの字型側溝本体（１）の上方開口部に溝蓋（２）を設置する前記側溝（１）と溝蓋（２）の溝蓋固定用金具（５）において、固定金具の接着面（５２）に接着剤（６）を付着させ、側溝側面（１２）に該固定金具（５）を嵌着させる。図２に示すように固定金具突出部（５１）には例えばリンク機構等を使用して鎖やワイヤー等の連結部材（４）が固定されており、連結部材（４）の他端は溝蓋（２）の連結金具（３）に連結、もしくは溶接によって溝蓋本体に嵌着されている。図４に示すように固定金具接着面（５２）は板状とするが、図５（ａ）に示すように接着面（５２）に孔（５３）を設けてもよい。孔（５３）の大きさ、形状、数については、固定金具設置箇所の条件に応じて自由に設計変更が可能である。図５（ｂ）に示すように接着面（５２）に凹凸部（５４）を設けてもよい。凹凸部（５４）の形状についても固定金具設置箇所の条件によって自由に設計変更が可能である。図示しないが固定金具接着面は実施形態の矩形状に限らず、円形状でもよい。
【図面の簡単な説明】
【０００９】
【図１】本考案の溝蓋固定用金具を設けて溝蓋と側溝を固定した状態を示す側面図
【図２】本考案の溝蓋固定用金具を設けて溝蓋と側溝を固定した状態を示す一部切断平面図
【図３】本考案の溝蓋固定用金具を設けて溝蓋と側溝を固定した状態を示す一部切断斜視図
【図４】（ａ）は本考案の溝蓋固定用金具の斜視図、（ｂ）は本考案の溝蓋固定用アンカーの接着面方向からの斜視図
【図５】（ａ）は本考案の溝蓋固定用金具の接着面に穴を設けた状態を示す底面図、（ｂ）は本考案の溝蓋固定用アンカーの接着面に凹凸部を設けた状態を示す底面図
【図６】従来の溝蓋固定用アンカーを設けて溝蓋と側溝を固定した状態を示す切断側面図
【符号の説明】
【００１０】
１    側溝
１１・・・底壁
１２・・・側壁
２    溝蓋
３    連結金具
４    連結部材
５    固定金具
５１・・・突出部
５２・・・接着面
５３・・・孔
５４・・・凹凸部
６    接着剤
７    アンカー
【図１】
0003144237.tif 000003
【図２】
0003144237.tif 000004
【図３】
0003144237.tif 000005
【図４】
0003144237.tif 000006
【図５】
0003144237.tif 000007
【図６】
0003144237.tif 000008
(57)【要約】      （修正有）【課題】歯科医師の往診において患者の歯科治療を早め、持ち運びも軽量化した歯科医療用携帯乾燥噴射機器スプレーを提供する。【解決手段】乾燥空気又は気体を携帯用ボンベに圧縮乾燥空気又は気体をコンプレサーにおいて充填し、その携帯用ボンベに噴射口ノズルを装着し乾燥箇所に乾燥した空気又は気体を当てることにより乾燥を早め、軽量化した持ち運びができる携帯乾燥噴射機器スプレーである。【選択図】図１
0003144402.tif 000002
【実用新案登録請求の範囲】
【請求項１】
本考案は、コンプレサー吸引に施した空気又は気体の殺菌乾燥フィルター１−ａを通した圧縮乾燥空気叉は気体をコンプレサー１から携帯用ボンベ２に充填し、その携帯用ボンベに噴射口ノズル４を装着し乾燥を施す箇所に圧縮乾燥空気叉は気体を噴射口ノズルのパイプ５先端から噴射することにより乾燥を早めることを特徴とし、また軽量で持ち運びができることを特徴とした歯科医療用携帯乾燥噴射機器スプレー装置。
【請求項２】
本考案は、医療用としてだけではなく他の乾燥したい乾燥箇所にも使用することの形態を特徴とした請求項１の歯科医療用携帯乾燥噴射機器スプレー装置。
【考案の詳細な説明】
【技術分野】
【０００１】
従来の往診用歯科医療用器の歯及び入れ歯等の治療用携帯乾燥機器に関するものである。
【背景技術】
【０００２】
従来の往診用歯科医療機器の歯及び入れ歯等の治療携帯乾燥機器のおいては、手動式ポンプにノズルを施したものがある。
【０００３】
従来の往診用歯科医療機器の歯及び入れ歯等の治療用乾燥機器においては、コンプレサーに装着したノズルで乾燥空気噴射を施すものがある。
【０００４】
【特許文献１】実用新案公開平０７−０２１１６８
【考案の開示】
【考案が解決しようとする課題】
【０００５】
本考案は、従来の往診用歯科医療機器の歯及び入れ歯等の治療用携帯乾燥を手動式ポンプによる空気を噴射し手の疲労や乾燥が遅い課題を解決するものである。
【０００６】
また、携帯できるコンプレサーに装着した乾燥ノズルの機器の往診等の移動に重量があることの課題を解決するものである。
【課題を解決するための手段】
【０００７】
本考案の目的を達成するために、圧縮乾燥空気叉は気体をコンプレサーで携帯ボンベに充填し、その携帯用ボンベに噴射口ノズルを装着し噴射ノズルを押すと圧縮乾燥空気叉は気体が噴射して噴射することにより乾燥を早め、また軽量で持ち運びができる歯科医療用携帯乾燥噴射機器スプレーである。
【考案の効果】
【０００８】
本考案の効果については、歯科医師の往診において患者の歯科治療を早め歯科医師治療の持ち運びを軽量化することの歯科医療用携帯乾燥噴射機器スプレーである。
【考案を実施するための最良の形態】
【０００９】
以下、本考案の実施形態を図１に基づいて説明をする。
【００１０】
図１においては、従来から市販してある圧縮コンプレサー１にコンプレサー吸引に施した空気又は気体の殺菌乾燥フィルター１−ａを通した空気又は気体を圧縮コンプレサーボンベ１より従来市販してある携帯用ボンベ２に圧縮乾燥空気叉は気体を充填し、その携帯用ボンベ２の噴射口弁３にノズル４を施し、そのノズル噴射弁を押し開放噴射することによりノズルパイプ５を通して乾燥箇所に圧縮乾燥空気叉は気体を噴射６して治療用に使用することの形態を特徴とした歯科医療用携帯乾燥スプレーである。
【図面の簡単な説明】
【００１１】
【図１】圧縮コンプレサー１にコンプレサー吸引に施した空気又は気体の殺菌乾燥フィルター１−ａを通した圧縮コンプレサーボンベ１から携帯ボンベ２に圧縮乾燥空気叉は気体を充填し、その充填した携帯ボンベ２に噴射ノズル４を施し押すと携帯ボンベの開放弁３から噴射口パイプ５を通して圧縮乾燥空気叉は気体６を乾燥箇所に噴射した圧縮乾燥空気叉は気体６を当てることで乾燥を早めた歯科医療用携帯乾燥噴射機器スプレーの形態図である。
【符号の説明】
【００１２】
１  圧縮コンプレサー
１−ａ  圧縮コンプレサー空気吸引口乾燥フィルター
２  携帯乾燥スプレーボンベ
３  携帯乾燥スプレーボンベの噴射口弁
４  携帯乾燥スプレーボンベの噴射口弁に装着ノズル
５  携帯乾燥スプレーボンベの噴射口弁に装着ノズルの噴射パイプ
６  携帯乾燥スプレーボンベ噴射口弁に装着ノズルの噴射パイプから噴射状態
【図１】
0003144402.tif 000003
(57)【要約】      （修正有）【課題】キラキラと光輝する装飾体を有する  ひな人形の髪飾り（釵子）を提供する。【解決手段】金メッキなどのメッキ処理を施した金属薄板製飾り板１２と、この飾り板の裏面に形成される水平方向の金属製線状装飾部１３及び、ひな人形の頭髪に植設する脚部と、前記金属薄板製飾り板１２の下端部より前部方向に直角に屈曲される玉櫛部１６とからなるひな人形の髪飾りであって、前記玉櫛部の上面に、光輝性装飾体１７を接着剤により取り付けた。【選択図】図３
0003144478.tif 000002
【実用新案登録請求の範囲】
【請求項１】
金メッキなどのメッキ処理を施した金属薄板製飾り板と、この飾り板の裏面に形成される水平方向の金属製線状装飾部及び、ひな人形の頭髪に植設する脚部と、前記金属薄板製飾り板の下端部より、この金属薄板製飾り板の前部方向に直角に屈曲される玉櫛部とからなる  ひな人形の髪飾りであって、前記玉櫛部の上面に、光輝性装飾体を接着剤により取り付けたことを特徴とする  ひな人形の髪飾り。
【請求項２】
前記光輝性装飾体は、カット細工されたガラス玉及び／又は、光輝性を有する玉等を連鎖する部材によって形成されていることを特徴とする請求項１記載のひな人形の髪飾り。
【請求項３】
前記光輝性装飾体を備える髪飾りは、衣裳着親王女雛の頭髪部及び／又は、木目込人形の女雛の頭髪部に取り付けられることを特徴とする請求項１又は、請求項２記載の  ひな人形の髪飾り。
【考案の詳細な説明】
【技術分野】
【０００１】  本考案は、ひな人形の頭髪部を飾る髪飾りに関するものである。
本考案において、ひな人形とは、立ち姿態・坐り姿態を形成する衣裳着親王の女雛，木目込人形の女雛を指す。
【技術背景】
【０００２】  従来、衣裳着親王の女雛の頭髪部（おすべらかし）に、釵子と称する髪飾りがセットされる（例えば実開平６−４９５号公報参照）。
【０００３】  このひな人形の髪飾りは、図１に示すように釵子１の大型装飾板２の表面に、小型装飾部３を重ね合わせ、小型装飾部３の裏面に設けられた脚部４を大型装飾板２の穿孔５に挿入して連結し、更に、前記大型装飾板２の裏面に沿って彎曲された脚部４（小型装飾部３の脚部のこと）を大型装飾板２の裏面に形成する線状装飾部６に当接させている。
【考案の開示】
【考案が解決しようとする課題】
【０００４】  ところで、上記従来の髪飾りでは、大型装飾板２と小型装飾部３を使用し、大型装飾板２に小型装飾部３の脚部４を挿入させるための穿孔５をあけたり、小型装飾部３の裏面に設けられている脚部４を大型装飾板２の裏面に沿って彎曲させ、前記脚部４を大型装飾板２に設けられている線状装飾部６に当接させ、大型装飾板２に小型装飾部３を連結させるようにしているから、髪飾り（釵子）を構成する部品の製作，加工や組付け作業等に余計な手間がかかって面倒であったり、コスト高にもつながるという問題がある。【０００５】  本考案は、上述のような実状に鑑みなされたもので、その目的とするところは、上述の髪飾りに比し、容易に製作，加工しうると共に、簡単構造を保持でき、しかも、髪飾りが光輝性を齎すために、衣裳着親王女雛のおすべらかし（頭髪部）の髪飾りの見栄えや、木目込女雛の髪飾りの見栄えが一段と向上し、強いては、衣裳着親王女雛や木目込女雛の美観，体裁を華美に仕立て得るひな人形の髪飾りを提供するにある。
【課題を解決するための手段】
【０００６】  本考案では、上記目的を達成するために、次の技術的手段を講じた。
即ち、本考案に係る髪飾りは、金メッキなどのメッキ処理を施した金属薄板製飾り板と、この飾り板の裏面に形成される水平方向の金属製線状装飾部及びひな人形の頭髪（おすべらかし）に植設する脚部と、前記金属薄板製飾り板の下端部より、この金属簿板製飾り板の前部方向に直角に屈曲される玉櫛部とからなる  ひな人形の髪飾りであって、前記玉櫛部の上面に、光輝性装飾体を接着剤により取り付けたことを特徴としている（請求項１）。【０００７】  また、本考案に係る前記光輝性装飾体は、カット細工されたガラス玉及び／又は、光輝性を有する玉等を連鎖する部材によって形成されていることを特徴としている（請求項２）。【０００８】  さらに、本考案に係る光輝性装飾体を備える髪飾りは、衣裳着親王女雛の頭髪部及び／又は、木目込人形の女雛の頭髪部に取り付けられることを特徴としている（請求項３）。
【課題を実施するための最良の形態】
【０００９】  本考案の実施の形態を図面に基づき説明する。
図２〜図４は、本考案の実施形態を示し、髪飾り１１は、金メッキを施した薄板金属製飾り板１２と、この飾り板１２の裏面に形成される水平方向の金属製線状装飾部１３及び、ひな人形の頭髪部１４（おすべらかし）に植設する脚部１５と、前記飾り板１２の下端部より、この飾り板１２の前部方向に直角に屈曲される玉櫛部１６と、この玉櫛部１６の上面に接着剤により取り付けられる光輝性装飾体１７とから成っている。この光輝性装飾体１７は、カット細工されたガラス玉及び／又は、光輝性を有する玉等を連鎖する部材によって形成されている。そして、この光輝性装飾体１７が光を反射して、この装飾体１７を構成する複数個のガラス玉  及び／又は、光輝性を有する玉が光輝することとなる。
【００１０】  本考案に係る髪飾りを図示した実施形態は衣裳着親王女雛のおすべらかし（頭髪部）に取り付けた姿態を示しているが、これを木目込人形の女雛の頭髪部に取り付けて実施することも本考案の実施態様範囲に包含される。
【考案の効果】
【００１１】  本考案は、上記の請求項１〜３記載のひな人形の髪飾りを特徴とするものであるから、玉櫛部の上面の光輝性装飾体が光輝して、衣裳着親王女雛のおすべらかし（頭髪部）の髪飾りの見栄えや、木目込人形女雛の髪飾りの見栄えを良好にするという著効があり、これにより、衣裳着親王女雛と木目込人形女雛に新趣向性を齎し、ひな人形の商品付加価値を高めるのに役立つものである。
【００１２】  また、本考案にあっては、図１にみられるような大型装飾板と小型装飾部との重ね合わせ構造に伴う不合理性，即ち、大型装飾板と小型装飾部を各別に製作，加工すること，大型装飾板に穴あけ加工を施すこと，小型装飾部に脚部を設けること，小型装飾部の脚部を大型装飾板の穿孔に挿通させ、その脚部を大型飾り板の裏面に彎曲させて当接させること等を必要としないから、髪飾りの製作，加工を極めて容易に行ない得ることができ、髪飾りのコストも安くなる。
【図面の簡単な説明】
【図１】  従来の髪飾りの分離斜視図である。
【図２】  本考案の髪飾りを取付けた衣裳着親王女雛の正面図である。
【図３】  本考案の髪飾りの斜視図である。
【図４】  本考案の髪飾りの側面概略説明図である。
【符号の説明】
１１  髪飾り
１２  金属薄板製飾り板
１３  金属製線状装飾部
１４  人形の頭髪部
１５  脚部
１６  玉櫛部
１７  光輝性装飾体
【図１】
0003144478.tif 000003
【図２】
0003144478.tif 000004
【図３】
0003144478.tif 000005
【図４】
0003144478.tif 000006
(57)【要約】      （修正有）【課題】再生紙等を利用し衛生的にトイレ用マットを使用する紙製トイレ用マットを提供する。【解決手段】トイレ用便座の底辺部１、紙製トイレ用マット２、一般的なトイレの構造から出入り口側から差し込むように設置する。再生紙をトイレ用マットに加工することにより、ハガキなどに加工する場合と違って紙質、色等問題なく加工できる。また色、デザインなどメーカーが独自に加工でき、防臭、抗菌、水漏れ防止などのメーカーの技術を付与できる。【選択図】図１
0003144475.tif 000002
【実用新案登録請求の範囲】
【請求項１】
再生紙等の紙製品製のトイレ室内に敷く汚れ防止マット
【請求項２】
凹み型のためズレ防止、サイドへの汚れ防止。
【考案の詳細な説明】
【技術分野】
【０００１】  本考案は、再生紙等を利用したトイレ用マットに関するものである。
【背景技術】
【０００２】  これまでは使用後、洗濯等をして使っていた。
【考案の開示】
【考案が解決しようとする課題】
【０００３】  老人ホーム、障害者施設、高齢者において使用して汚れるごとに洗濯は労働的、時間的に負担が大きいことから、使い捨て用を使用することにより前述の欠点を解消するとともに、より衛生的に使用しようとするものである。
【課題を解決するための手段】
【０００４】  本考案は、再生紙等を利用して使い捨てにすることにより、防臭・除菌等を付与し、効果を持続させる。
【考案の効果】
【０００５】  上記のように、再生紙等を利用して使い捨てにすることにより、より衛生的に使用できる。
【考案を実施するための最良の形態】
【０００６】  トイレの便座の形状に沿った凹み型にすることにより、サイドへの飛散に対応可能となる。
【実施例】
【０００７】  添付図面に従って実施例を説明する。１はトイレ便座の底辺部、２は紙製トイレ用マット、一般的なトイレの構造から出入口側から差し込むように設置する。
【産業上の利用可能性】
【０００８】  昨今、再生ハガキの再生紙偽装が問題となっているが、再生紙をトイレ用マットに加工することにより、ハガキなどに加工する場合と違って紙質、色等問題なく加工できる。また色、デザインなどメーカーが独自に加工でき、防臭、抗菌、水漏れ防止などのメーカーの技術を付与できる。
【図面の簡単な説明】
【０００９】
【図１】本考案のトイレの便座の形状に沿った凹み型の一実施例を示す図である。
【符号の説明】
【００１０】  １  トイレ便座の底辺部
２  紙製トイレ用マット
【図１】
0003144475.tif 000003
【手続補正書】
【提出日】平成20年4月17日(2008.4.17)
【手続補正１】
【補正対象書類名】実用新案登録請求の範囲
【補正対象項目名】全文
【補正方法】変更
【補正の内容】
【実用新案登録請求の範囲】
【請求項１】
再生紙等の紙製品製のトイレ室内に敷く汚れ防止マット
【請求項２】
トイレの便座の形状に沿った凹み型としたことを特徴とする請求項１記載の汚れ防止マット。
(57)【要約】      （修正有）【課題】吸殻の投入口をいくつか設けることで、限られたスペースで複数の人がタバコを吸うことができ、また、螺旋が常時回転することによって吸殻等が移動しており、臭いや副流煙を回避する効果があるとともに螺旋の回転による推進力を利用して、灰及び吸殻を収集し、固定された場所に集積できるようにする。【解決手段】空洞の不燃材の内部に螺旋を設置し、螺旋を回転させることによって空洞内に入った物体を移動させ、複数の投入口を作ることで、限られたスペースで複数の人がタバコを吸うことができ、また、螺旋が常時回転することによって吸殻等が移動しており、臭いや副流煙を回避する効果がある装置である。ビルなどの喫煙ルーム、駅、空港など人の良く集まる喫煙スペースなどに設置することで効果が期待できる。【選択図】図１
0003144471.tif 000002
【実用新案登録請求の範囲】
【請求項１】
螺旋の回転を利用し、タバコの灰及び吸殻を収集する装置。
【考案の詳細な説明】
【技術分野】
【０００１】  吸殻の投入口をいくつか設け、螺旋による推進力を利用して、灰及び吸殻を収集し、固定された場所に集積するための装置に関する。
【背景技術】
【０００２】  従来の灰皿は、一つずつ独立しており、人手によって収集していた。
【考案の開示】
【考案が解決しようとする課題】
【０００３】  従来の灰皿は、一つずつ独立しており、収集に手間が掛かった。【０００４】  また、吸殻の投入口に堆積するため、臭いや副流煙が立ち込め、不快な状況にあった。
【課題を解決するための手段】
【０００５】  吸殻の投入口をいくつか設け、螺旋による推進力を利用して、灰及び吸殻を収集し、固定された場所に集積する。【０００６】  臭いや副流煙を回避するため、螺旋により移動させる。
【考案の効果】
【０００７】  固定された場所に集積することにより、吸殻を集める手間を省くことが出来る。【０００８】  常時螺旋により吸殻等が移動するため、臭いや副流煙を回避する効果がある。【０００９】  吸殻の投入口をいくつか設けることが出来るので、限られたスペースで複数の人がタバコを吸うことが出来る。
【考案を実施するための最良の形態】
【００１０】  空洞の不燃材の内部に螺旋を設置し、螺旋を回転させることによって空洞内に入った物体を移動させる装置を作る。【００１１】  この装置の上部に投入口を設け、喫煙後の吸殼を投入する。【００１２】  この装置の端に集積用のダストボックスを設置し、そこに吸殻を集積する。
【実施例】
【００１３】  ビルなどの喫煙ルーム、駅、空港など人の良く集まる喫煙スペースに設置する。
0003144471.tif 000003
【手続補正書】
【提出日】平成19年4月23日(2007.4.23)
【手続補正１】
【補正対象書類名】実用新案登録請求の範囲
【補正対象項目名】全文
【補正方法】変更
【補正の内容】
【実用新案登録請求の範囲】
【請求項１】
タバコの灰及び吸殻を螺旋の回転力で収集する装置。
【手続補正２】
【補正対象書類名】明細書
【補正対象項目名】全文
【補正方法】変更
【補正の内容】
【考案の詳細な説明】
【技術分野】
【０００１】  吸殻の投入口をいくつか設け、螺旋による推進力を利用して、灰及び吸殻を収集し、固定された場所に集積するための装置に関する。
【背景技術】
【０００２】  従来の灰皿は、一つずつ独立しており、人手によって収集していた。
【考案の開示】
【考案が解決しようとする課題】
【０００３】  従来の灰皿は、一つずつ独立しており、収集に手間が掛かった。【０００４】  また、吸殻の投入口に堆積するため、臭いや副流煙が立ち込め、不快な状況にあった。
【課題を解決するための手段】
【０００５】  吸殻の投入口をいくつか設け、螺旋による推進力を利用して、灰及び吸殻を収集し、固定された場所に集積する。【０００６】  臭いや副流煙を回避するため、螺旋により移動させる。
【考案の効果】
【０００７】  固定された場所に集積することにより、吸殻を集める手間を省くことが出来る。【０００８】  常時螺旋により吸殻等が移動するため、臭いや副流煙を回避する効果がある。【０００９】  吸殻の投入口をいくつか設けることが出来るので、限られたスペースで複数の人がタバコを吸うことが出来る。
【考案を実施するための最良の形態】
【００１０】  空洞の不燃材の内部に螺旋を設置し、螺旋を回転させることによって空洞内に入った物体を移動させる装置を作る。【００１１】  この装置の上部に投入口を設け、喫煙後の吸殻を投入する。【００１２】  この装置の端に集積用のダストボックスを設置し、そこに吸殻を集積する。
【実施例】
【００１３】  ビルなどの喫煙ルーム、駅、空港など人の良く集まる喫煙スペースに設置する。
【図面の簡単な説明】
【００１４】
【図１】は平面図である。
【図２】は断面図である。
【手続補正３】
【補正対象書類名】図面
【補正対象項目名】全図
【補正方法】変更
【補正の内容】
【図１】
0003144471.tif 000004
【図２】
0003144471.tif 000005
【手続補正書】
【提出日】平成19年8月6日(2007.8.6)
【手続補正１】
【補正対象書類名】実用新案登録請求の範囲
【補正対象項目名】全文
【補正方法】変更
【補正の内容】
【実用新案登録請求の範囲】
【請求項１】
タバコの灰及び吸殻を螺旋の回転力で収集する装置。
【請求項２】
筒の端部にあるモーター等で回転するスパイラル式送り棒を設置する。
【請求項３】
筒の上部には灰及び吸殻を投入する蓋付き投入口を設置する。
【手続補正書】
【提出日】平成19年10月30日(2007.10.30)
【手続補正１】
【補正対象書類名】実用新案登録請求の範囲
【補正対象項目名】全文
【補正方法】変更
【補正の内容】
【実用新案登録請求の範囲】
【請求項１】
筒の端部にあるモーター等で回転するスパイラル式送り棒を備え、筒の上部には灰及び吸殻を投入する蓋付き投入口を設置した、タバコの灰及び吸殻を螺旋の回転力で収集する装置。
(57)【要約】      （修正有）【課題】複数の衣服を着回していると、それぞれを何回着たのか、いつクリーニングに出せばよいか、出したあとだったのか覚えていないことがある。シーズン中に一度も着ていなければそのまま仕舞うことも出来るが、覚えていなければ念のためクリーニングに出すという無駄が生じる。そこで、クリーニングに出す時期などを適切に判断し、衣類を清潔に保って気持ちよく着ることが出来るようにする。【解決手段】着用回数を記録し、いつでも確認できるようにするため本発明の器具を利用する。回数はベルト穴の横にプリントし、１回着る毎に突起に通す穴を数字の大きい方へ移動していく。【選択図】図１
0003144472.tif 000002
【実用新案登録請求の範囲】
【請求項１】
衣類をクリーニングに出す時期を着用回数から判断する際、その回数を記録しておくための器具。
【考案の詳細な説明】
【技術分野】
【０００１】  本発明は、衣類の着用回数を記録するための器具に関する
【背景技術】
【０００２】  複数の衣類をそれぞれ何回着たのか把握することは難しい。クリーニングに出す時期を着用回数から判断する際に困ることがある。
【考案の開示】
【考案が解決しようとする課題】
【０００３】  クリーニングに出す前に何回着たのか確認し、本当に出す必要があるか判断するには自分の記憶力に頼るしかない。【０００４】  本発明は、このようなあやふやな記憶を器具を使って手軽に記録しておくことで解決しようとするものである。
【課題を解決するための手段】
【０００５】  本発明は、上記目的を達成するためにハンガーに取り付けられるようベルト状の器具を使って着用回数を記録するものである。ベルトに着用回数を示す数字をプリントし、ベルトの端には突起を付ける。数字の横に穴を開け、収納前に該当する回数横の穴に突起を差す。
【考案の効果】
【０００６】  これにより、衣類の着用回数をいつでも確認することが出来る。
【考案を実施するための最良の形態】
【実施例１】
【０００７】衣類用ハンガー
【産業上の利用可能性】
【図面の簡単な説明】
【０００８】
【図１】正面から見た図である。
【図２】横から見た図である。
【図３】使用中の図である。
【符号の説明】
【０００９】ａ→  突起
ｂ→  突起を通すための穴
ｃ→  ハンガー
【図１】
0003144472.tif 000003
【図２】
0003144472.tif 000004
【図３】
0003144472.tif 000005
【手続補正書】
【提出日】平成19年4月16日(2007.4.16)
【手続補正１】
【補正対象書類名】実用新案登録請求の範囲
【補正対象項目名】全文
【補正方法】変更
【補正の内容】
【実用新案登録請求の範囲】
【請求項１】
ベルト状のビニールに数字をプリントし、数字の横に小さな穴を開ける。その穴にベルトの端に付いた突起を差し込み、輪にしてハンガーに通すことで、掛けている衣類の着用（使用）回数を表示する器具。
(57)【要約】      （修正有）【課題】それらをまとめて１つの筐体に組み込むことにより、省スペース化と管理の簡素化を実現する多チャンネル自動充放電装置を提供する。【解決手段】各チャンネルのメーター類を順序よく配置する。充放電の電線は、各チャンネルそれぞれにつき１本にまとめられ、配線の混雑を軽減する。操作に特別な技術を必要としないため現場作業員の他の作業と並行利用が可能となった。バッテリーの充電および放電作業が必要な工程において、その作業管理効率が上昇することにより、時間および費用面での利益を得ることができる。【選択図】図１
0003144476.tif 000002
【実用新案登録請求の範囲】
【請求項１】
自動制御式充放電機を１台の筐体に多数内在させることにより、製造コストの大幅な削減と使用上の管理の簡易さを同時に実現させる事を目的とする。結果として中古、或いは劣化バッテリーの効率的再生によりビジネス化することを可能とした。
【考案の詳細な説明】
【技術分野】
【０００１】
本考案は、バッテリーの充電及び放電に関する。
【背景技術】
【０００２】
従来はそれぞれが個別筐体であった。
【考案の開示】
【考案が解決しようとする課題】
【０００３】
しかしこれでは工業的に処理する場合複数個が必要となり、それぞれが単独であるため多くの場所が必要となる。配線も混雑し、必ずしも管理が容易とはいえなかった。
【課題を解決するための手段】
【０００４】
そこで、それらをまとめて１つの筐体に組み込むことにより、省スペース化と管理の簡素化を実現した。
【考案の効果】
【０００５】
各チャンネルの管理用メーター類が順序よく配置され、一目で全体の管理が可能となる。また、充電と放電が機能として一体化することにより製造費も低減できる。
【考案を実施するための最良の形態】
【０００６】
図１に示すように各チャンネルのメーター類を順序よく配置する。充放電の電線は、各チャンネルそれぞれにつき１本にまとめられ、配線の混雑を軽減する。
【実施例】
【０００７】
１台を試作し試験的に運用した。操作に特別な技術を必要としないため現場作業員の他の作業と並行利用が可能となった。
【産業上の利用可能性】
【０００８】
バッテリーの充電および放電作業が必要な工程において、その作業管理効率が飛躍的に上昇することにより、時間および費用面での利益を得ることができる。
【図面の簡単な説明】
【０００９】
【図１】本考案に係る多チャンネル自動充放電器の正面図である。
【図２】多チャンネル自動充放電器装置写真である。
【符号の説明】
【００１０】
１    １チャンネル用電圧計
２    １チャンネル用電流計
３    放電電流量調整部
４    放電スタートスイッチ  ２度押しで充電モードになる
５    停止スイッチ
６    充電電流調整つまみ
７    ２チャンネル電圧計
８    ２チャンネル電流計
９    放電電流量調整部
１０  各チャンネル電圧データー出力端子  ＣＳＶファイルとして出力
【図１】
0003144476.tif 000003
【図２】
0003144476.tif 000004
【手続補正書】
【提出日】平成20年5月30日(2008.5.30)
【手続補正１】
【補正対象書類名】実用新案登録請求の範囲
【補正対象項目名】全文
【補正方法】変更
【補正の内容】
【実用新案登録請求の範囲】
【請求項１】
自動制御式充放電機を１台の筐体に多数内在させることにより、製造コストの大幅な削減と使用上の管理の簡易さを同時に実現させる事を目的とする多チャンネル自動充放電装置。
(57)【要約】      （修正有）【課題】けの汁を缶詰にすることで、日当り、光を通さず、食材、食品の変色防止することと、食材に刺激を与えても変形せず、長期間保存防止となる。【解決手段】けの汁は多くの食材を細目に切り、調味料で煮る、蒸して缶に詰めて、真空状にする缶は、金属なので、日当り、光を通さない真空なので、食材が変色しない。【選択図】図１
0003144473.tif 000002
【実用新案登録請求の範囲】
【請求項１】
けの汁を缶に詰めた、けの汁の缶詰。
【考案の詳細な説明】
【技術分野】
【０００１】本考案はけの汁の味と、食材変形を長期間保存する容器に関する。
【背景技術】
【０００２】従来に、ふるさとの味、けの汁を合成樹脂、ガラス容器に詰め込み、利点も多い。
【考案の開示】
【考案が解決しようとする課題】
【０００３】しかしながら、けの汁の食材が、フキ、ゴボウ、大根、ニンジン、油揚げ、高野豆腐、ワラビ、ゼンマイ、大豆、昆布、      調味料など多量の食材からなり、火を通し、合成樹脂、ガラス容器に詰め込み、光を通すことで、食材が変食し、長期間保存するのことに不利がある。【０００４】食材を細目に切り、火を通すことで、合成樹脂の袋などに詰め込み、刺激を与えることで食材が破損することで不利がある。
【課題を解決するための手段】
【０００５】本考案はふるさとの味、けの汁を食材が多量のため、光を通すことで、食材が変食することと、合成樹脂等袋や容器に詰め込み、刺激を与えることで、食材が壊れて良くない、    缶詰にすることで、光を通さず、食材が壊れず、長期間、味と食材を保存することで上記課題を解決する。
【考案を実施するための最良の形態】
【０００６】けの汁は多くの食材を細目に切り、調味料で煮る、蒸して缶に詰めて、直空状にする缶は、金属なので、日当り、光を通さない直空なので、食材が変食しない。
【考案の効果】
【０００７】本考案は、けの汁を缶詰にすることで、日当り、光を通さず、食材、食品の変食を防止することと、食材に刺激を与えても変形せず、長期間保存防止となる効果がある。
【図面の簡単な説明】なし
0003144473.tif 000003
【手続補正書】
【提出日】平成19年11月20日(2007.11.20)
【手続補正１】
【補正対象書類名】明細書
【補正対象項目名】全文
【補正方法】変更
【補正の内容】
【考案の詳細な説明】
【技術分野】
【０００１】本考案はけの汁の味と、食材変形を長期間保存する容器に関する。
【背景技術】
【０００２】従来に、ふるさとの味、けの汁を合成樹脂、ガラス容器に詰め込み、利点も多い。
【考案の開示】
【考案が解決しようとする課題】
【０００３】しかしながら、けの汁の食材が、フキ、ゴボウ、大根、ニンジン、油揚げ、高野豆腐、ワラビ、ゼンマイ、大豆、昆布、      調味料など多量の食材からなり、火を通し、合成樹脂、ガラス容器に詰め込み、光を通すことで、食材が変食し、長期間保存するのことに不利がある。【０００４】食材を細目に切り、火を通すことで、合成樹脂の袋などに詰め込み、刺激を与えることで食材が破損することで不利がある。
【課題を解決するための手段】
【０００５】本考案はふるさとの味、けの汁を食材が多量のため、光を通すことで、食材が変食することと、合成樹脂等袋や容器に詰め込み、刺激を与えることで、食材が壊れて良くない、
缶詰にすることで、光を通さず、食材が壊れず、長期間、味と食材を保存することで上記課題を解決する。
【考案を実施するための最良の形態】
【０００６】けの汁は多くの食材を細目に切り、調味料で煮る、蒸して缶に詰めて、直空状にする缶は、金属なので、日当り、光を通さない直空なので、食材が変食しない。
【考案の効果】
【０００７】本考案は、けの汁を缶詰にすることで、日当り、光を通さず、食材、食品の変食を防止することと、食材に刺激を与えても変形せず、長期間保存防止となる効果がある。
【図面の簡単な説明】
【０００８】
【図１】  本考案に係る、けの汁の缶詰  工程図である。
【符号の説明】
【０００９】    １    金属  缶
２    食材
【手続補正２】
【補正対象書類名】図面
【補正対象項目名】全図
【補正の内容】
【図１】
0003144473.tif 000004
【手続補正書】
【提出日】平成20年2月12日(2008.2.12)
【手続補正１】
【補正対象書類名】図面
【補正対象項目名】全図
【補正方法】追加
【補正の内容】
【図１】
0003144473.tif 000005